(57)【要約】  本発明は健康情報システムを開示し、データ管理の分野に属する。システムは、少なくとも１つの医療機関サーバと、フロントエンドプロセッサと、２つ以上のデータゲートウェイと、データ交換プラットフォームとを含み、少なくとも１つの医療機関サーバは、フロントエンドプロセッサに医療データを送信するように構成され、フロントエンドプロセッサは、少なくとも１つの医療機関サーバから医療データを受信し、２つ以上のデータゲートウェイから宛先データゲートウェイを取得し、医療データを宛先データゲートウェイに送信するように構成され、２つ以上のデータゲートウェイは、医療データを受信し、医療データをデータ交換プラットフォームに送信するように構成され、データ交換プラットフォームは、受信した医療データを処理するように構成される。本発明は、最繁時における単一のデータゲートウェイの混雑状態によりサービスが影響を受けること、又は医療機関のフロントエンドプロセッサの障害によりサービスが影響を受けることを防止し、それによってデータ安定性を改善し、正常な医療サービスを確実にする。
2015513160.tif 000002
【特許請求の範囲】
【請求項１】
少なくとも１つの医療機関サーバと、フロントエンドプロセッサと、２つ以上のデータゲートウェイと、データ交換プラットフォームとを備え、
前記少なくとも１つの医療機関サーバは、前記フロントエンドプロセッサに医療データを送信するように構成され、
前記フロントエンドプロセッサは、前記少なくとも１つの医療機関サーバから前記医療データを受信し、前記２つ以上のデータゲートウェイから宛先データゲートウェイを取得し、前記医療データを前記宛先データゲートウェイに送信するように構成され、
前記２つ以上のデータゲートウェイは、前記医療データを受信し、前記医療データを前記データ交換プラットフォームに送信するように構成され、
前記データ交換プラットフォームは、前記受信した医療データを処理するように構成される、
健康情報システム。
【請求項２】
前記フロントエンドプロセッサが、
前記少なくとも１つの医療機関サーバから前記医療データを受信するように構成された受信モジュールと、
前記医療データのデータフォーマットを、前記データ交換プラットフォームによって必要とされるデータフォーマットに変換するように構成されたデータ処理モジュールと、
前記２つ以上のデータゲートウェイから前記宛先データゲートウェイを取得し、前記フロントエンドプロセッサと前記宛先データゲートウェイの間に接続を確立するように構成された接続管理モジュールと、
前記確立された接続を通して前記宛先データゲートウェイに前記医療データを送信するように構成された送信モジュールと
を備える、請求項１に記載のシステム。
【請求項３】
前記接続管理モジュールが、
前記宛先データゲートウェイとして前記２つ以上のデータゲートウェイから１つ又は複数のデータゲートウェイを取得するように構成された宛先データゲートウェイ決定ユニットと、
前記フロントエンドプロセッサと前記宛先データゲートウェイの間に前記接続を確立するように構成された接続確立ユニットと
を特に備える、請求項１又は２に記載のシステム。
【請求項４】
前記宛先データゲートウェイ決定ユニットは、前記宛先データゲートウェイとして前記２つ以上のデータゲートウェイから１つのデータゲートウェイを、ランダムに取得するように特に構成される、
又は、
前記宛先データゲートウェイ決定ユニットは、前記宛先データゲートウェイとして前記２つ以上のデータゲートウェイから１つのデータゲートウェイを、予め設定された順序に従って取得するように特に構成される、
又は、
前記宛先データゲートウェイ決定ユニットは、前記宛先データゲートウェイとして前記２つ以上のデータゲートウェイを用いるように特に構成される、
又は、
前記宛先データゲートウェイ決定ユニットは、前記２つ以上のデータゲートウェイ内のアクティブなデータゲートウェイが正常に動作するかどうかを判定し、前記アクティブなデータゲートウェイが正常に動作する場合は前記宛先データゲートウェイとして前記アクティブなデータゲートウェイを取得し、前記アクティブなデータゲートウェイの動作が正常でない場合は前記宛先データゲートウェイとして前記２つ以上のデータゲートウェイ内のスタンバイデータゲートウェイを取得するように特に構成される、
請求項３に記載のシステム。
【請求項５】
決定された宛先データゲートウェイの数が２つ以上であるときは、前記送信モジュールは前記医療データを、各宛先データゲートウェイに、又は前記２つ以上の宛先データゲートウェイのうちのいずれか１つに送信するように特に構成される、請求項３に記載のシステム。
【請求項６】
前記送信モジュールが、各医療データのユーザ識別子に従って前記医療データを分類し、同じタイプの医療データを同じ宛先データゲートウェイに送信するように特に構成される、請求項５に記載のシステム。
【請求項７】
少なくとも１つの医療機関サーバと、２つ以上のフロントエンドプロセッサと、データゲートウェイと、データ交換プラットフォームとを備え、
前記少なくとも１つの医療機関サーバは、前記２つ以上のフロントエンドプロセッサから宛先フロントエンドプロセッサを取得し、前記宛先フロントエンドプロセッサに医療データを送信するように構成され、
前記２つ以上のフロントエンドプロセッサは、前記少なくとも１つの医療機関サーバから前記医療データを受信し、前記医療データを前記データゲートウェイに送信するように構成され、
前記データゲートウェイは、前記医療データを受信し、前記医療データを前記データ交換プラットフォームに送信するように構成され、
前記データ交換プラットフォームは、前記受信した医療データを処理するように構成される、
健康情報システム。
【請求項８】
前記医療機関サーバが、
前記２つ以上のフロントエンドプロセッサから前記宛先フロントエンドプロセッサを取得し、前記フロントエンドプロセッサへの接続を確立するように構成された接続管理モジュールと、
前記確立された接続を通して前記宛先フロントエンドプロセッサに前記医療データを送信するように構成された送信モジュールと、
を備える、請求項７に記載のシステム。
【請求項９】
前記接続管理モジュールは、
前記２つ以上のフロントエンドプロセッサのうちのいずれか１つへの接続を検出するように構成された検出ユニットと、
前記２つ以上のフロントエンドプロセッサのうちの前記いずれか１つへの前記接続が故障したときに、故障していないフロントエンドプロセッサから前記宛先フロントエンドプロセッサを取得し、前記宛先フロントエンドプロセッサへの接続を確立するように構成された切り換えユニットと、
を備える、請求項７に記載のシステム。
【発明の詳細な説明】
【技術分野】
【０００１】
関連出願の相互参照
本出願は、参照によりその全体が本明細書に組み込まれている２０１２年４月１０日に中国特許庁に出願した、「ＨＥＡＬＴＨ  ＩＮＦＯＲＭＡＴＩＯＮ  ＳＹＳＴＥＭ」という名称の中国特許出願第２０１２１０１０２３６１．８号の優先権を主張するものである。
【０００２】
本発明はデータ管理の分野に関し、具体的には健康情報システムに関する。
【背景技術】
【０００３】
地域健康情報プラットフォームは、医療データを保存し交換するための、地域内の医療機関のためのプラットフォームである。地域健康情報プラットフォームは一般に、郡、市、県、又は国内で統一的に構築され、政府又は他の中立な機関によって管理され維持される。地域健康情報プラットフォームは、フロントエンドデータプロセッサを用いることによって医療機関の情報システムと相互動作する。フロントエンドデータプロセッサは、地域健康情報プラットフォームと医療機関の情報システムの間に配置され、医療機関の情報システムの近くにあり、これら２つの方向における情報移動に対して協働する。地域健康情報プラットフォームは、フロントエンド医療データプロセッサを用いることによって医療機関の情報システムからデータを取得し、医療機関のフロントエンドデータプロセッサは、健康情報プラットフォームからデータを取得する。地域健康情報プラットフォームは、地域における医療機関の健康データを保存し、医療機関の間での医療データ交換を実施し、また上位レベルのプラットフォームとデータを交換する責任を負う。地域医療情報プラットフォームが存在することにより、１つの当事者によって収集されたデータは複数の当事者によって共有され、医療サービスの協力が達成される。
【発明の概要】
【発明が解決しようとする課題】
【０００４】
本発明を実施する過程において本発明者は、従来技術は少なくとも以下の問題を有することを見出した。地域健康情報プラットフォームのデータゲートウェイは、地域健康情報プラットフォームのデータゲートウェイの責任をもつすべての医療機関の情報システムを接続する。データゲートウェイ又はフロントエンドプロセッサに障害が生じたとき、データゲートウェイ又はフロントエンドプロセッサに接続された医療機関の情報システムは、地域健康情報プラットフォームとのデータ連絡を失い、したがってデータ安定性は不十分である。障害が生じた後、医療機関は、地域健康情報プラットフォームとのデータ交換を行うことができず、それによって正常な医療サービスに重大な影響を及ぼす。
【課題を解決するための手段】
【０００５】
本発明の実施形態は、データ安定性を改善するための健康情報システムを提供する。技術的解決策は以下の通りである。
【０００６】
少なくとも１つの医療機関サーバと、フロントエンドプロセッサと、２つ以上のデータゲートウェイと、データ交換プラットフォームとを含む健康情報システムであって、
少なくとも１つの医療機関サーバは、フロントエンドプロセッサに医療データを送信するように構成され、
フロントエンドプロセッサは、少なくとも１つの医療機関サーバから医療データを受信し、２つ以上のデータゲートウェイから宛先データゲートウェイを取得し、医療データを宛先データゲートウェイに送信するように構成され、
２つ以上のデータゲートウェイは、医療データを受信し、医療データをデータ交換プラットフォームに送信するように構成され、
データ交換プラットフォームは、受信した医療データを処理するように構成される、システム。
【０００７】
少なくとも１つの医療機関サーバと、２つ以上のフロントエンドプロセッサと、データゲートウェイと、データ交換プラットフォームとを含む健康情報システムであって、
少なくとも１つの医療機関サーバは、２つ以上のフロントエンドプロセッサから宛先フロントエンドプロセッサを取得し、宛先フロントエンドプロセッサに医療データを送信するように構成され、
２つ以上のフロントエンドプロセッサは、少なくとも１つの医療機関サーバから医療データを受信し、医療データをデータゲートウェイに送信するように構成され、
データゲートウェイは、医療データを受信し、医療データをデータ交換プラットフォームに送信するように構成され、
データ交換プラットフォームは、受信した医療データを処理するように構成される、システム。
【０００８】
本発明の実施形態によって提供される技術的解決策は、以下の有益な効果をもたらす。健康情報システム内に複数のデータゲートウェイ又は複数のフロントエンドプロセッサが配置され、それにより健康情報システムは、フロントエンドプロセッサとデータゲートウェイとの間の複数の接続をサポートすることができ、それによって最繁時における単一のデータゲートウェイの混雑状態によりサービスが影響を受けること、又は医療機関のフロントエンドプロセッサ上の障害によってサービスが影響を受けることを防止し、データ安定性を改善し、正常な医療サービスを確実にする。
【０００９】
本発明の実施形態における技術的解決策をより明瞭に説明するために、実施形態を説明するのに必要な添付の図面を以下に簡単に紹介する。明らかに以下の説明での添付の図面は、単に本発明のいくつかの実施形態を示すものであり、当業者は創造的な努力なしにこれらの添付の図面から、さらに他の図面を導き出すことができる。
【図面の簡単な説明】
【００１０】
【図１】本発明の一実施形態による健康情報システムの概略構成図である。
【図２】本発明の一実施形態による健康情報システムの概略構成図である。
【図３】本発明の一実施形態によるフロントエンドプロセッサの概略構成図である。
【図４】本発明の一実施形態による健康情報システムの概略構成図である。
【図５】本発明の一実施形態による健康情報システムの概略構成図である。
【図６】本発明の一実施形態による医療機関サーバの概略構成図である。
【図７】本発明の一実施形態による健康情報システムの概略構成図である。
【発明を実施するための形態】
【００１１】
本発明の目的、技術的解決策、及び利点をより明らかにするために、以下ではさらに本発明の実施形態について添付の図面を参照して詳しく述べる。
【００１２】
図１は、本発明の一実施形態による健康情報システムの概略構成図である。図１を参照するとシステムは、少なくとも１つの医療機関サーバ１０１、フロントエンドプロセッサ１０２、２つ以上のデータゲートウェイ１０３、及びデータ交換プラットフォーム１０４を含む。
【００１３】
（１）少なくとも１つの医療機関サーバ１０１は、フロントエンドプロセッサに医療データを送信するように構成される。
【００１４】
特に医療機関サーバ１０１は、医療機関のデータベースシステム及びサービスシステムを含む。データベースシステムは医療サービスにおいて生成された医療データ、例えば基本的な患者情報、電子診療録情報、検査及びチェック情報、並びに医療オーダー情報を記憶するように構成される。サービスシステムは、データベースシステムに基づいて医療機関のために情報サービスを提供することができる。サービスシステムは、病院情報システム、臨床情報システム、電子診療録システム、医療画像システムなどを含むことができるがそれらに限定されない。
【００１５】
（２）フロントエンドプロセッサ１０２は、少なくとも１つの医療機関サーバから医療データを受信し、２つ以上のデータゲートウェイから宛先データゲートウェイを取得し、宛先データゲートウェイに医療データを送信するように構成される。
【００１６】
フロントエンドプロセッサは、データ交換プラットフォームと医療機関サーバの間の相互動作の問題を解決するように構成される。一方ではフロントエンドプロセッサは、データゲートウェイを通してデータ交換プラットフォームにアクセスする。他方ではフロントエンドプロセッサは、医療機関サーバにアクセスし、データ交換プラットフォーム及び医療機関サーバと通信し、データ変換を行う。
【００１７】
図２を参照すると、好ましくはフロントエンドプロセッサ１０２は、受信モジュール１０２１、データ処理モジュール１０２２、接続管理モジュール１０２３、及び送信モジュール１０２４を含む。受信モジュール１０２１は、少なくとも１つの医療機関サーバから医療データを受信するように構成される。データ処理モジュール１０２２は、医療データのデータフォーマットを、データ交換プラットフォームによって必要とされるデータフォーマットに変換するように構成される。接続管理モジュール１０２３は、２つ以上のデータゲートウェイから宛先データゲートウェイを取得し、フロントエンドプロセッサと宛先データゲートウェイの間に接続を確立するように構成される。送信モジュール１０２４は、確立された接続を通して宛先データゲートウェイに医療データを送信するように構成される。
【００１８】
データ処理モジュール１０２は、受信したデータパケットから一つ一つ医療データを抽出し、医療データのデータフォーマットを外部プロトコルから内部データパケットフォーマットにパースし、内部データパケットフォーマットを外部プロトコルフォーマットに変換するように特に構成される。外部プロトコルフォーマットは、データ交換プラットフォームによって必要とされるデータフォーマットである。
【００１９】
接続管理モジュール１０２３は、地域健康情報プラットフォームのデータゲートウェイへの接続の確立、及び接続状態の管理に責任を負うように特に構成される。接続はＩＰ、ＴＣＰ、ＵＤＰ、及びＷｅｂＳｅｒｖｉｃｅ技術などを用いることができる。
【００２０】
好ましくは接続管理モジュール１０２３は、第１の予め設定された規則に従って、宛先データゲートウェイとして２つ以上のデータゲートウェイから１つ又は複数のデータゲートウェイを取得するように構成された宛先データゲートウェイ決定ユニットと、宛先データゲートウェイへの接続を確立するように構成された接続確立ユニットとを特に含む。フロントエンドプロセッサは、宛先データゲートウェイを決定するために複数の方法を用いることができ、特定の方法は、システム要件、ネットワーク帯域幅などに従って技術者によって設定されることが留意されるべきである。以下の宛先データゲートウェイ決定ユニットのいずれか１つが利用可能であることが好ましい。
【００２１】
（ａ）宛先データゲートウェイ決定ユニットは、宛先データゲートウェイとして２つ以上のデータゲートウェイから１つのデータゲートウェイを、ランダムに取得するように特に構成される。
【００２２】
（ｂ）宛先データゲートウェイ決定ユニットは、宛先データゲートウェイとして２つ以上のデータゲートウェイから１つのデータゲートウェイを、予め設定された順序に従って取得するように特に構成される。
【００２３】
（ｃ）宛先データゲートウェイ決定ユニットは、宛先データゲートウェイとして２つ以上のデータゲートウェイを用いるように特に構成される。
【００２４】
（ｄ）宛先データゲートウェイ決定ユニットは、２つ以上のデータゲートウェイ内のアクティブなデータゲートウェイが正常に動作するかどうかを判定して、アクティブなデータゲートウェイが正常に動作する場合は、宛先データゲートウェイとしてアクティブなデータゲートウェイを取得し、アクティブなデータゲートウェイの動作が正常でない場合は、宛先データゲートウェイとして２つ以上のデータゲートウェイ内のスタンバイデータゲートウェイを取得するように特に構成される。
【００２５】
好ましくは、決定された宛先データゲートウェイの数が２つ以上であるときは、送信モジュールは医療データを、各宛先データゲートウェイに、又は２つ以上の宛先データゲートウェイのうちのいずれか１つに送信するように特に構成される。医療データは、ランダムに、又は交互に情報トラフィックを共有する手法に従って送信することができ、すなわちデータ交換プラットフォームと医療機関の間で移動されるデータは、複数のリンク上を、ランダムな順序、交互の順序などに従って送信される。
【００２６】
送信モジュール１０２４は、各医療データのユーザ識別子に従って医療データを分類し、同じタイプの医療データを同じ宛先データゲートウェイに送信するように特に構成される。この送信手法は、医療データのユーザ識別子に基づいて情報トラフィックを共有するものである。健康情報はほとんどの場合、居住地域に従って分類され、同じユーザ識別子を有する医療データは、同じタイプの医療データと見なすことができる。したがって同じユーザ識別子又は同じタイプのユーザ識別子を含む医療データは、トラフィック共有を実施するように複数の接続のうちの１つを通して固定して伝送される。
【００２７】
２つ以上のデータゲートウェイを含む健康情報システムの場合は、フロントエンドプロセッサは、２つ以上のデータゲートウェイへの接続を確立することができる。このようにして健康情報システムには、２つ以上のデータ接続が存在する。２つ以上のデータ接続は、負荷分散手法を用いて医療データを伝えることができ、すなわち医療データは２つ以上のデータ接続を通してランダムに伝送される。もちろん医療データを伝えるためにホットバックアップ手法も用いることができ、すなわち１つの接続が故障したときは、別の正常な接続が医療データを伝送するために用いられる。
【００２８】
さらに、フロントエンドプロセッサとデータゲートウェイの間に、健全な心拍の検出が確立される。接続の心拍に故障があるときは、フロントエンドプロセッサは自動的に、データゲートウェイへの通信接続を再確立する。通信接続が確立できないときは、アラームが生成されて接続を閉鎖する制御スケジューリングを通知する。すべての接続が閉鎖された後には、医療機関サーバに通知されるべきである。
【００２９】
この実施形態と従来技術との違いは、フロントエンドプロセッサの接続管理モジュールは、ホットバックアップ手法又は交互に情報トラフィックを共有する手法に従って、２つ以上のデータゲートウェイから宛先データゲートウェイを取得し、医療データを伝送するために、選択された宛先データゲートウェイへの接続を確立することであり、それによってフロントエンドプロセッサとデータゲートウェイの間の信頼性のある接続を確実にし、健康情報システムの安定性を保証する。
【００３０】
（３）２つ以上のデータゲートウェイ１０３は、医療データを受信し、医療データをデータ交換プラットフォームに送信するように構成される。
【００３１】
データゲートウェイは、プラットフォームと医療機関の情報システムとの間の相互動作を直接実施し、データ交換のプロトコル相互接続を行う。用いられるプロトコルはＨＬ７／ＣＤＡ仕様である。地域健康情報プラットフォーム上の１つのデータゲートウェイは、複数の医療機関と相互接続することができる。
【００３２】
データゲートウェイは、データパケットの集約及び配信における制御スケジューリングを補助するように、データゲートウェイに接続された医療機関及びフロントエンドプロセッサの、構成情報及び接続状態の維持に責任を負うように特に構成される。フロントエンドプロセッサによって送信された医療データが受信されたときは、医療データのデータフォーマットは、外部プロトコルから内部データパケットフォーマットにパースされ、内部データパケットフォーマットは外部プロトコルフォーマットに組み立てられる。データゲートウェイはさらに、データ交換プラットフォームインターフェースを通してデータ交換プラットフォームと相互動作し、医療機関及びフロントエンドプロセッサの構成及び動作状態に従って、関連のある医療機関のフロントエンドプロセッサにプロトコルパケットを配信し、受信した医療データを集約し、それをデータ交換プラットフォームに転送することに責任を負う。
【００３３】
（４）データ交換プラットフォーム１０４は、受信した医療データを処理するように構成される。
【００３４】
データ交換プラットフォームは、医療機関の間のデータ交換を完結する。データ交換はサービスの協力を実施する。例えば患者が病院１から病院２に移動された場合は、病院２は、病院１において患者に対して行われた検査及びチェックの結果情報及び同様な情報を、病院１に問い合わせることができる。データ交換プラットフォームのために、データベースを構成することができる。データベースは、地域内の医療データを記憶し管理するように構成される。
【００３５】
この実施形態によって提供されるシステムによれば、健康情報システム内に複数のデータゲートウェイが配置され、それにより健康情報システムは、フロントエンドプロセッサとデータゲートウェイとの間の複数の接続をサポートすることができ、それによって最繁時における単一のデータゲートウェイの混雑状態によりサービスが影響を受けることを防止し、データ安定性を改善し、正常な医療サービスを確実にする。
【００３６】
本発明によって提供される健康情報システムのデータ処理方法を説明すると、説明のための一例としてこの実施形態は、３つのデータゲートウェイ３０２Ａ、３０２Ｂ、及び３０２Ｃを含むシステムを用いる。図３は、本発明の一実施形態による健康情報システムの概略構成図である。図３を参照するとシステムは特に、医療機関サーバ３０１、フロントエンドプロセッサ３０２、３つのデータゲートウェイ３０３Ａ、３０３Ｂ、及び３０３Ｃ、並びにデータ交換プラットフォーム３０４を含む。図４は本発明による、図３の健康情報システムに基づくデータ処理方法のフローチャートである。図３を参照すると方法は以下を含む。
【００３７】
４０１：医療機関サーバ３０１は、フロントエンドプロセッサ３０２に医療データを送信する。
【００３８】
４０２：フロントエンドプロセッサ３０２は、医療機関サーバ３０１から医療データを受信し、宛先データゲートウェイとして３つのデータゲートウェイ３０３Ａ、３０３Ｂ、及び３０３Ｃからデータゲートウェイ３０３Ａを取得し、宛先データゲートウェイに医療データを送信する。
【００３９】
具体的には、このステップのためにフロントエンドプロセッサ３０２は、医療機関サーバ３０１から医療データを受信し、医療データのデータフォーマットをデータ交換プラットフォーム３０４によって必要とされるデータフォーマットに変換し、データゲートウェイ３０３Ａ、３０３Ｂ、及び３０３Ｃから宛先データゲートウェイ３０３Ａを取得し、フロントエンドプロセッサ３０２と宛先データゲートウェイ３０３Ａの間に接続を確立し、確立された接続を通して宛先データゲートウェイ３０３Ａに医療データを送信する。
【００４０】
この実施形態では説明のための一例としてのみ、フロントエンドプロセッサ３０２が宛先データゲートウェイとして１つのデータゲートウェイをランダムに取得することが用いられる。しかし、フロントエンドプロセッサ３０２はさらに、以下の方法のいずれか１つを用いることによって宛先データゲートウェイを決定することができる。（ａ）宛先データゲートウェイとしてデータゲートウェイ３０３Ａ、３０３Ｂ、及び３０３Ｃから１つのデータゲートウェイをランダムに取得する、（ｂ）宛先データゲートウェイとしてデータゲートウェイ３０３Ａ、３０３Ｂ、及び３０３Ｃから、予め設定された順序に従って１つのデータゲートウェイを取得する、（ｃ）宛先データゲートウェイとしてデータゲートウェイ３０３Ａ、３０３Ｂ、及び３０３Ｃを用いる、（ｄ）データゲートウェイ３０３Ａ、３０３Ｂ、及び３０３Ｃのうちアクティブなデータゲートウェイが正常に動作するかどうかを判定し、アクティブなデータゲートウェイが正常に動作する場合は宛先データゲートウェイとしてアクティブなデータゲートウェイを取得し、アクティブなデータゲートウェイが正常に動作しない場合は宛先データゲートウェイとして２つ以上のデータゲートウェイのうちスタンバイデータゲートウェイを取得する。
【００４１】
この実施形態では宛先データゲートウェイとして１つのデータゲートウェイだけが選択されるので、トラフィック共有の問題の影響は受けない。別の実施形態では、フロントエンドプロセッサ３０２によって決定される宛先データゲートウェイの数が２つ以上であるときは、医療データは各宛先データゲートウェイに送信される。さらに、或いは２つ以上の宛先データゲートウェイのうちのいずれか１つは、各医療データのユーザ識別子に従って医療データを分類し、同じタイプの医療データを同じ宛先データゲートウェイに送信する。
【００４２】
４０３：データゲートウェイ３０３Ａは、医療データを受信し、医療データをデータ交換プラットフォームに送信する。
【００４３】
４０４：データ交換プラットフォーム３０４は、受信した医療データを処理する。
【００４４】
この実施形態は説明のための一例としてのみ、医療機関サーバが医療データをデータ交換プラットフォームに送信することを用いている。データ交換プラットフォームが医療機関サーバに医療データを送信するときは、医療データは医療データの送信元又は要求者に従って戻すことができる。
【００４５】
この実施形態によって提供される方法によれば、健康情報システム内に複数のデータゲートウェイが配置され、それにより健康情報システムは、フロントエンドプロセッサとデータゲートウェイとの間の複数の接続をサポートすることができ、且つデータゲートウェイ間で負荷分散をベースとするアクセスをサポートすることができ、それによって最繁時における単一のデータゲートウェイの混雑状態によりサービスが影響を受けることを防止する。データ交換プラットフォームは、バランスのとれた形で各医療機関サーバの情報へのアクセスを受信することができ、各医療機関サーバは複数の接続を用いることによって地域健康情報プラットフォームにアクセスする。このようにして、チャネルが故障したときに医療協力サービスは中断されないようにすることができ、それによってデータ安定性を改善し、正常な医療サービスを確実にする。
【００４６】
図５は、本発明の一実施形態による健康情報システムの概略構成図である。図５を参照するとシステムは、少なくとも１つの医療機関サーバ５０１、２つ以上のフロントエンドプロセッサ５０２、データゲートウェイ５０３、及びデータ交換プラットフォーム５０４を特に含む。
【００４７】
（１）少なくとも１つの医療機関サーバ５０１は、２つ以上のフロントエンドプロセッサ５０２から宛先フロントエンドプロセッサを取得し、宛先フロントエンドプロセッサに医療データを送信するように構成される。
【００４８】
図６を参照すると、好ましくは医療機関サーバは、２つ以上のフロントエンドプロセッサ５０２から宛先フロントエンドプロセッサを取得し、フロントエンドプロセッサへの接続を確立するように構成された接続管理モジュール５０１１と、確立された接続を通して宛先フロントエンドプロセッサに医療データを送信するように構成された送信モジュール５０１２とを含む。
【００４９】
接続管理モジュール５０１１は、２つ以上のフロントエンドプロセッサのうちのいずれか１つへの接続を検出するように構成された検出ユニットと、２つ以上のフロントエンドプロセッサのうちのいずれか１つへの接続が故障したときに、故障していないフロントエンドプロセッサから宛先フロントエンドプロセッサを取得し、宛先フロントエンドプロセッサへの接続を確立するように構成された切り換えユニットとを含む。
【００５０】
この実施形態では説明のための一例としてのみ、医療機関サーバがフロントエンドプロセッサを選択する方法がフェイルオーバであることが用いられる。しかし、医療機関サーバがフロントエンドプロセッサを選択するためには、例えばランダムに、又は予め設定された順序に従って交互に、複数の方法があり得る。したがって医療データも複数の方法、例えば負荷分散又はフェイルオーバを用いることによって、送信することができる。
【００５１】
（２）２つ以上のフロントエンドプロセッサ５０２は、少なくとも１つの医療機関サーバ５０１から医療データを受信し、医療データをデータゲートウェイ５０３に送信するように構成される。
【００５２】
健康情報システムが２つ以上のフロントエンドプロセッサを有し、データ交換プラットフォームが１つのデータゲートウェイのみを有する場合は、２つ以上のフロントエンドプロセッサはデータゲートウェイに別々に接続される。このようにして２つ以上の接続が存在する。この実施形態では２つ以上の接続は負荷分散手法でデータ通信を行う。１つの接続が故障したときは、通信タスクは別の正常な接続によって行われる。
【００５３】
（３）データゲートウェイ５０３は、医療データを受信し、医療データをデータ交換プラットフォーム５０４に送信するように構成される。
【００５４】
データゲートウェイは、データパケットの集約及び配信における制御スケジューリングを補助するように、データゲートウェイに接続された医療機関及びフロントエンドプロセッサの、構成情報及び接続状態の維持に責任を負うように特に構成される。フロントエンドプロセッサによって送信された医療データが受信されたときは、医療データのデータフォーマットは、外部プロトコルから内部データパケットフォーマットにパースされ、内部データパケットフォーマットは外部プロトコルフォーマットに組み立てられる。データゲートウェイはさらに、データ交換プラットフォームインターフェースを通してデータ交換プラットフォームと相互動作し、医療機関及びフロントエンドプロセッサの構成及び動作状態に従って、関連のある医療機関のフロントエンドプロセッサにプロトコルパケットを配信し、受信した医療データを集約し、それをデータ交換プラットフォームに転送することに責任を負う。
【００５５】
（４）データ交換プラットフォーム５０４は、受信した医療データを処理するように構成される。
【００５６】
この実施形態は健康情報システムを提供する。健康情報システムは２つ以上のフロントエンドプロセッサを含む。図７を参照すると、別の実施形態では健康情報システムはさらに、医療機関サーバ７０１、２つ以上のフロントエンドプロセッサ７０２、２つ以上のデータゲートウェイ７０３、及びデータ交換プラットフォーム７０４を含むことができる。医療機関サーバ７０１がフロントエンドプロセッサ７０２にデータ要求を送信したときは、フロントエンドプロセッサ７０２は正常状態にある接続を選択して、医療データ要求をデータ交換プラットフォーム７０４に送信する。データ交換プラットフォーム７０４は複数の医療データを生成し、データ交換プラットフォーム７０４はポリシーに従って複数のデータゲートウェイ７０３に別々に医療データを送信する。データゲートウェイ７０３は、医療データを医療機関サーバによって必要とされるデータフォーマットに変換し、正常状態にある複数の接続を通して医療機関サーバの複数のフロントエンドプロセッサ７０２に医療データを送信する。フロントエンドプロセッサ７０２は、複数の医療データを集約し、それを医療機関サーバ７０１に送信する。データ交換プラットフォーム７０４が医療データを医療機関サーバ７０１にプッシュするときは、データ交換プラットフォーム７０４は医療データを生成し、データ交換プラットフォーム７０４はポリシーに従って複数のデータゲートウェイ７０３に別々に医療データを送信する。データゲートウェイ７０３は、医療データを医療機関サーバ７０１によって必要とされるデータフォーマットに変換し、データゲートウェイ７０３は、正常状態にある接続を通して医療機関サーバ７０１の複数のフロントエンドプロセッサ７０２に医療データを送信する。フロントエンドプロセッサ７０２は、医療データを医療機関サーバ７０１に送信する。
【００５７】
この実施形態によって提供されるシステムによれば、健康情報システム内に複数のフロントエンドプロセッサが配置され、それにより健康情報システムは、フロントエンドプロセッサとデータゲートウェイとの間の複数の接続をサポートすることができ、それによって最繁時における単一のデータゲートウェイの混雑状態によりサービスが影響を受けること、又は医療機関のフロントエンドプロセッサの障害によりサービスが影響を受けることを防止し、データ安定性を改善し、正常な医療サービスを確実にする。
【００５８】
当業者は、実施形態のステップのすべて又は一部は、ハードウェア、又は関連のあるハードウェアに命令するプログラムによって実施され得ることを理解することができる。プログラムは、コンピュータ可読記憶媒体に記憶することができる。記憶媒体は、リードオンリメモリ、磁気ディスク、又は光ディスクを含むことができる。
【００５９】
上記の説明は単に本発明の例示的実施形態に過ぎないが、本発明を限定しようとするものではない。本発明の趣旨及び原理から逸脱せずに行われる任意の変更、等価な置き換え、及び改良は、本発明の保護範囲に包含されるものとする。
【図１】
2015513160.tif 000003
【図２】
2015513160.tif 000004
【図３】
2015513160.tif 000005
【図４】
2015513160.tif 000006
【図５】
2015513160.tif 000007
【図６】
2015513160.tif 000008
【図７】
2015513160.tif 000009
【手続補正書】
【提出日】平成26年11月13日(2014.11.13)
【手続補正１】
【補正対象書類名】明細書
【補正対象項目名】０００４
【補正方法】変更
【補正の内容】
【０００４】
本発明を実施する過程において、従来技術は少なくとも以下の不利益を有する。地域健康情報プラットフォームのデータ・ゲートウェイは、地域健康情報プラットフォームのデータ・ゲートウェイの責任をもつすべての医療機関の情報システムを接続する。データ・ゲートウェイ又はフロントエンド・プロセッサに障害が生じたとき、データ・ゲートウェイ又はフロントエンド・プロセッサに接続された医療機関の情報システムは、地域健康情報プラットフォームとのデータ連絡を失い、したがってデータ安定性は不十分である。障害が生じた後、医療機関は、地域健康情報プラットフォームとのデータ交換を行うことができず、それによって正常な医療サービスに重大な影響を及ぼす。
【手続補正２】
【補正対象書類名】明細書
【補正対象項目名】００１０
【補正方法】変更
【補正の内容】
【００１０】
【図１】本発明の一実施形態による健康情報システムの概略構成図である。
【図２】本発明の一実施形態による健康情報システムの概略構成図である。
【図３】本発明の一実施形態によるフロントエンド・プロセッサの概略構成図である。
【図４】本発明による、図３の健康情報システムに基づくデータ処理方法のフローチャートである。
【図５】本発明の一実施形態による健康情報システムの概略構成図である。
【図６】本発明の一実施形態による医療機関サーバの概略構成図である。
【図７】本発明の一実施形態による健康情報システムの概略構成図である。
【手続補正３】
【補正対象書類名】明細書
【補正対象項目名】００１８
【補正方法】変更
【補正の内容】
【００１８】
データ処理モジュール１０２２は、受信したデータ・パケットから一つ一つ医療データを抽出し、医療データのデータ・フォーマットを外部プロトコルから内部データ・パケット・フォーマットにパースし、内部データ・パケット・フォーマットを外部プロトコル・フォーマットに変換するように特に構成される。外部プロトコル・フォーマットは、データ交換プラットフォームによって必要とされるデータ・フォーマットである。
【手続補正４】
【補正対象書類名】明細書
【補正対象項目名】００２８
【補正方法】変更
【補正の内容】
【００２８】
さらに、フロントエンド・プロセッサとデータ・ゲートウェイの間に、健全なハートビートの検出が確立される。接続のハートビートに故障があるときは、フロントエンド・プロセッサは自動的に、データ・ゲートウェイへの通信接続を再確立する。通信接続が確立できないときは、アラームが生成されて接続を閉鎖する制御スケジューリングモジュールを通知する。すべての接続が閉鎖された後には、医療機関サーバに通知されるべきである。
【手続補正５】
【補正対象書類名】明細書
【補正対象項目名】００３２
【補正方法】変更
【補正の内容】
【００３２】
データ・ゲートウェイは、データ・パケットの集約及び配信における制御スケジューリングモジュールを補助するように、データ・ゲートウェイに接続された医療機関及びフロントエンド・プロセッサの、構成情報及び接続状態の維持に責任を負うように特に構成される。フロントエンド・プロセッサによって送信された医療データが受信されたときは、医療データのデータ・フォーマットは、外部プロトコルから内部データ・パケット・フォーマットにパースされ、内部データ・パケット・フォーマットは外部プロトコル・フォーマットに組み立てられる。データ・ゲートウェイはさらに、データ交換プラットフォーム・インターフェースを通してデータ交換プラットフォームと相互動作し、医療機関及びフロントエンド・プロセッサの構成及び動作状態に従って、関連のある医療機関のフロントエンド・プロセッサにプロトコル・パケットを配信し、受信した医療データを集約し、それをデータ交換プラットフォームに転送することに責任を負う。
【手続補正６】
【補正対象書類名】明細書
【補正対象項目名】００３６
【補正方法】変更
【補正の内容】
【００３６】
本発明によって提供される健康情報システムのデータ処理方法を説明すると、説明のための一例としてこの実施形態は、３つのデータ・ゲートウェイ３０３Ａ、３０３Ｂ、及び３０３Ｃを含むシステムを用いる。図３は、本発明の一実施形態による健康情報システムの概略構成図である。図３を参照するとシステムは特に、医療機関サーバ３０１、フロントエンド・プロセッサ３０２、３つのデータ・ゲートウェイ３０３Ａ、３０３Ｂ、及び３０３Ｃ、並びにデータ交換プラットフォーム３０４を含む。図４は本発明による、図３の健康情報システムに基づくデータ処理方法のフローチャートである。図４を参照すると方法は以下を含む。
【手続補正７】
【補正対象書類名】明細書
【補正対象項目名】００４８
【補正方法】変更
【補正の内容】
【００４８】
図６を参照すると、好ましくは医療機関サーバは、２つ以上のフロントエンド・プロセッサ５０２から宛先フロントエンド・プロセッサを取得し、宛先フロントエンド・プロセッサへの接続を確立するように構成された接続管理モジュール５０１１と、確立された接続を通して宛先フロントエンド・プロセッサに医療データを送信するように構成された送信モジュール５０１２とを含む。
【手続補正８】
【補正対象書類名】明細書
【補正対象項目名】００５４
【補正方法】変更
【補正の内容】
【００５４】
データ・ゲートウェイは、データ・パケットの集約及び配信における制御スケジューリングモジュールを補助するように、データ・ゲートウェイに接続された医療機関及びフロントエンド・プロセッサの、構成情報及び接続状態の維持に責任を負うように特に構成される。フロントエンド・プロセッサによって送信された医療データが受信されたときは、医療データのデータ・フォーマットは、外部プロトコルから内部データ・パケット・フォーマットにパースされ、内部データ・パケット・フォーマットは外部プロトコル・フォーマットに組み立てられる。データ・ゲートウェイはさらに、データ交換プラットフォーム・インターフェースを通してデータ交換プラットフォームと相互動作し、医療機関及びフロントエンド・プロセッサの構成及び動作状態に従って、関連のある医療機関のフロントエンド・プロセッサにプロトコル・パケットを配信し、受信した医療データを集約し、それをデータ交換プラットフォームに転送することに責任を負う。
【手続補正９】
【補正対象書類名】特許請求の範囲
【補正対象項目名】全文
【補正方法】変更
【補正の内容】
【特許請求の範囲】
【請求項１】
少なくとも１つの医療機関サーバと、フロントエンドプロセッサと、２つ以上のデータゲートウェイと、データ交換プラットフォームとを備え、
前記少なくとも１つの医療機関サーバは、前記フロントエンドプロセッサに医療データを送信するように構成され、
前記フロントエンドプロセッサは、前記少なくとも１つの医療機関サーバから前記医療データを受信し、前記２つ以上のデータゲートウェイから宛先データゲートウェイを取得し、前記医療データを前記宛先データゲートウェイに送信するように構成され、
前記２つ以上のデータゲートウェイは、前記医療データを受信し、前記医療データを前記データ交換プラットフォームに送信するように構成され、
前記データ交換プラットフォームは、前記受信した医療データを処理するように構成される、
健康情報システム。
【請求項２】
前記フロントエンドプロセッサが、
前記少なくとも１つの医療機関サーバから前記医療データを受信するように構成された受信モジュールと、
前記医療データのデータフォーマットを、前記データ交換プラットフォームによって必要とされるデータフォーマットに変換するように構成されたデータ処理モジュールと、
前記２つ以上のデータゲートウェイから前記宛先データゲートウェイを取得し、前記フロントエンドプロセッサと前記宛先データゲートウェイの間に接続を確立するように構成された接続管理モジュールと、
前記確立された接続を通して前記宛先データゲートウェイに前記医療データを送信するように構成された送信モジュールと
を備える、請求項１に記載のシステム。
【請求項３】
前記接続管理モジュールが、
前記宛先データゲートウェイとして前記２つ以上のデータゲートウェイから１つ又は複数のデータゲートウェイを取得するように構成された宛先データゲートウェイ決定ユニットと、
前記フロントエンドプロセッサと前記宛先データゲートウェイの間に前記接続を確立するように構成された接続確立ユニットと
を特に備える、請求項２に記載のシステム。
【請求項４】
前記宛先データゲートウェイ決定ユニットは、前記宛先データゲートウェイとして前記２つ以上のデータゲートウェイから１つのデータゲートウェイを、ランダムに取得するように特に構成される、
又は、
前記宛先データゲートウェイ決定ユニットは、前記宛先データゲートウェイとして前記２つ以上のデータゲートウェイから１つのデータゲートウェイを、予め設定された順序に従って取得するように特に構成される、
又は、
前記宛先データゲートウェイ決定ユニットは、前記宛先データゲートウェイとして前記２つ以上のデータゲートウェイを用いるように特に構成される、
又は、
前記宛先データゲートウェイ決定ユニットは、前記２つ以上のデータゲートウェイ内のアクティブなデータゲートウェイが正常に動作するかどうかを判定し、前記アクティブなデータゲートウェイが正常に動作する場合は前記宛先データゲートウェイとして前記アクティブなデータゲートウェイを取得し、前記アクティブなデータゲートウェイの動作が正常でない場合は前記宛先データゲートウェイとして前記２つ以上のデータゲートウェイ内のスタンバイデータゲートウェイを取得するように特に構成される、
請求項３に記載のシステム。
【請求項５】
決定された宛先データゲートウェイの数が２つ以上であるときは、前記送信モジュールは前記医療データを、各宛先データゲートウェイに、又は前記２つ以上の宛先データゲートウェイのうちのいずれか１つに送信するように特に構成される、請求項３に記載のシステム。
【請求項６】
前記送信モジュールが、各医療データのユーザ識別子に従って前記医療データを分類し、同じタイプの医療データを同じ宛先データゲートウェイに送信するように特に構成される、請求項５に記載のシステム。
【請求項７】
少なくとも１つの医療機関サーバと、２つ以上のフロントエンドプロセッサと、データゲートウェイと、データ交換プラットフォームとを備え、
前記少なくとも１つの医療機関サーバは、前記２つ以上のフロントエンドプロセッサから宛先フロントエンドプロセッサを取得し、前記宛先フロントエンドプロセッサに医療データを送信するように構成され、
前記２つ以上のフロントエンドプロセッサは、前記少なくとも１つの医療機関サーバから前記医療データを受信し、前記医療データを前記データゲートウェイに送信するように構成され、
前記データゲートウェイは、前記医療データを受信し、前記医療データを前記データ交換プラットフォームに送信するように構成され、
前記データ交換プラットフォームは、前記受信した医療データを処理するように構成される、
健康情報システム。
【請求項８】
前記医療機関サーバが、
前記２つ以上のフロントエンドプロセッサから前記宛先フロントエンドプロセッサを取得し、前記フロントエンドプロセッサへの接続を確立するように構成された接続管理モジュールと、
前記確立された接続を通して前記宛先フロントエンドプロセッサに前記医療データを送信するように構成された送信モジュールと、
を備える、請求項７に記載のシステム。
【請求項９】
前記接続管理モジュールは、
前記２つ以上のフロントエンドプロセッサのうちのいずれか１つへの接続を検出するように構成された検出ユニットと、
前記２つ以上のフロントエンドプロセッサのうちの前記いずれか１つへの前記接続が故障したときに、故障していないフロントエンドプロセッサから前記宛先フロントエンドプロセッサを取得し、前記宛先フロントエンドプロセッサへの接続を確立するように構成された切り換えユニットと、
を備える、請求項８に記載のシステム。
【国際調査報告】
2015513160.tif 000010
2015513160.tif 000011
2015513160.tif 000012
2015513160.tif 000013